(57)【要約】【課題】簡易に施設全体の状況を把握することができる施設監視装置および施設監視方法を提供する。【解決手段】画面生成部３２は、ルーム端末１０が管理する管理ポイントおよびこの管理ポイントに対応する管理アドレスに基づいて、施設監視システムにより監視する施設全体の監視画面を生成する。この監視画面は、ビルのフロア数、フロアのルーム数、管理ポイントの数量、管理ポイントの共用部と専用部の数量比等に基づいて作成される。【選択図】  図２
2005339219.tif 000002
【特許請求の範囲】
【請求項１】
施設内に設けられた管理ポイントにおける管理情報を通信回線を介して受信して画面に表示する施設監視装置において、
監視対象となる施設内の管理ポイントのアドレスに基づいて各管理ポイントから得られる管理情報を表示する位置を決定する決定手段と、
受信した管理情報を前記決定手段により決められた位置に表示する表示手段と
を備えたことを特徴とする施設監視装置。
【請求項２】
前記画面の任意の箇所を指定する操作手段を更に備え、
前記表示手段は、前記操作手段により前記画面上の任意の管理情報が指定されると、前記任意の管理情報に関連する情報を表示する
ことを特徴とする請求項１記載の施設監視装置。
【請求項３】
施設内に設けられた管理ポイントにおける管理情報を通信回線を介して受信して画面に表示する施設監視方法において、
監視対象となる施設内の管理ポイントのアドレスに基づいて各管理ポイントから得られる管理情報を表示する位置を決定する決定ステップと、
受信した管理情報を前記決定手段により決められた位置に表示する表示ステップと
を備えたことを特徴とする施設監視方法。
【請求項４】
前記画面の任意の箇所を指定する操作ステップと、
この操作ステップにより前記画面上の任意の管理情報が指定されると、前記任意の管理情報に関連する情報を表示する関連表示ステップと
をさらに備えることを特徴とする請求項３記載の施設監視装置。
【発明の詳細な説明】
【技術分野】
【０００１】
本発明は、ビルや集合住宅などの施設を監視する施設監視装置および施設監視方法に関し、特に、その施設内の所定のポイントの状況を画面に表示する施設監視装置および施設監視方法に関するものである。
【背景技術】
【０００２】
従来より、ビルや集合住宅などの施設を監視する施設監視装置では、表示装置にその施設の監視画面を表示し、この監視画面に基づいて施設の監視を行っている。
従来の施設監視装置の監視画面の一例を図７に示す。
図７に示すように、従来の施設監視装置の監視画面には、施設のフロアのレイアウト等が示された平面図上に、室内温度、湿度、設定温度、設定湿度、空調機の運転状態などの設備情報を、センサや空調機が配設されたエリアに対応付けて表示している。このような監視画面に表示される設備情報に基づいて、オペレータは、空調機等の動作監視・設定変更を行っている。
【０００３】
なお、出願人は、本明細書に記載した先行技術文献情報で特定される先行技術文献以外には、本発明に関連する先行技術文献を出願時までに発見するには至らなかった。
【非特許文献１】伊藤  弘、柳下  稔、「Savic-net」、Savemation Review Vol.6 No.1  山武ハネウエル制御技術研究報告書、山武ハネウエル株式会社、１９８８年６月、ｐ．１７−２４
【発明の開示】
【発明が解決しようとする課題】
【０００４】
しかしながら、従来の施設監視装置では、複雑な建築図面に修正を加えることにより平面図を作成していたので、平面図の作成に手間とコストがかかっていた。
また、レイアウトの変更、センサや空調機の追加等が生じると、その都度平面図を修正し、平面図上に表示する設備情報の追加修正をしなければならないので、この場合も手間とコストがかかっていた。
さらに、従来の施設監視装置では、施設のフロア毎の平面図を表示しているので、複数のフロアを有する施設では施設全体の状況を把握することが困難であった。
そこで、本発明は、上述したような課題を解決するためになされたものであり、簡易に施設全体の状況を把握することができる施設監視装置および施設監視方法を提供することを目的とする。
【課題を解決するための手段】
【０００５】
上述したような課題を解決するために、本発明の施設監視装置は、施設内に設けられた管理ポイントにおける管理情報を通信回線を介して受信して画面に表示する施設監視装置において、監視対象となる施設内の管理ポイントのアドレスに基づいて各管理ポイントから得られる管理情報を表示する位置を決定する決定手段と、受信した管理情報を前記決定手段により決められた位置に表示する表示手段とを備えたことを特徴とする。
【０００６】
上記施設監視装置において、前記画面の任意の箇所を指定する操作手段を更に備え、前記表示手段は、前記操作手段により前記画面上の任意の管理情報が指定されると、前記任意の管理情報に関連する情報を表示するようにしてもよい。
【０００７】
また、本発明にかかる施設監視方法は、施設内に設けられた管理ポイントにおける管理情報を通信回線を介して受信して画面に表示する施設監視方法において、監視対象となる施設内の管理ポイントのアドレスに基づいて各管理ポイントから得られる管理情報を表示する位置を決定する決定ステップと、受信した管理情報を前記決定手段により決められた位置に表示する表示ステップとを備えたことを特徴とする。
【０００８】
上記施設監視方法において、前記画面の任意の箇所を指定する操作ステップと、この操作ステップにより前記画面上の任意の管理情報が指定されると、前記任意の管理情報に関連する情報を表示する関連表示ステップとをさらに備えるようにしてもよい。
【発明の効果】
【０００９】
本発明によれば、端末装置により管理される管理ポイントに基づいて監視画面を作成することにより、複雑な建築図面から平面図を作成することなく、施設全体の状況を把握できる監視画面を簡易かつダイナミックに作成することが可能となる。
また、本発明によれば、管理ポイントの位置および種類を階層的に特定するアドレスに基づいて監視画面を作成するので、レイアウトの変更、センサや空調機の追加等が生じても、容易かつダイナミックに修正することが可能である。
さらに、本発明によれば、監視画面上の管理情報を指定すると、その管理情報に対応する関連情報が表示されるので、ユーザにとって使い勝手のよい監視画面を作成することが可能となる。
【発明を実施するための最良の形態】
【００１０】
以下、図面を参照して、本発明の実施の形態について詳細に説明する。図１は本実施の形態にかかる施設監視システムの構成図である。
本実施の形態にかかる施設監視システムは、各施設の任意の箇所に設けられたルーム端末１０と、このルーム端末１０と通信回線を介して接続された中継装置２０と、この中継装置２０および通信回線を介してルーム端末１０と情報を送受信する施設監視装置３０とを備える。
なお、本実施の形態にかかる施設監視システムは、１つの施設のみならず、複数の施設を監視することもできる。この場合、複数の施設に設置されたルーム端末１０および中継装置２０を、インターネット、ＬＡＮ(Local Area Network)、ＷＡＮ（Wide Area Network)等の広域網により施設監視装置３０と接続することにより、実現することができる。
【００１１】
ルーム端末１０は、端末装置として機能し、LCD(Liquid Crystal Display)、FED(Field Emission Display)、有機EL(Electro Luminescence)等の公知の表示装置からなる表示部と、温度や湿度を計測する公知のセンサ、空調機および施設監視装置３０と情報の送受信をする送受信部と、ボタン、キー、タッチパネル等のユーザによる操作入力を検出する公知の操作入力装置からなる操作入力部と、各機能部の動作を制御する制御部とを備えている。これにより、ルーム端末１０は、各部屋の現在温度および現在湿度、各部屋の設定温度および設定湿度、空調機の運転状況、消耗品の管理等のルーム端末１０が管理する管理ポイントの情報（以下、管理情報という）の表示機能、各部屋の温度および湿度の設定機能、空調機の動作制御機能、管理情報の収集機能等を実現する。ここで、各管理ポイントには、管理アドレスが設定されている。
【００１２】
このようなルーム端末１０は、施設の部屋など施設内の任意のエリアに配設されており、通信回線および中継装置２０を介して他のルーム端末１０と接続され、他のルーム端末１０の設備情報を表示部に表示することもできる。
なお、ルーム端末１０は、複数の管理ポイントを管理するようにしてもよい。この場合、ルーム端末１０は、複数の管理アドレスを有することになる。
【００１３】
中継装置２０は、通信回線を介して、ルーム端末１０と施設監視装置３０を中継する。この中継装置２０には、複数のルーム端末１０を接続することが可能である。なお、中継装置２０は、施設監視システムの規模に応じて、ルーム端末１０、他の中継装置２０および施設監視装置３０を適宜組み合わせて中継するようにしてもよい。この場合、中継装置２０に接続するルーム端末１０および中継装置２０の数量は、適宜自由に設定することができる。
なお、ルーム端末１０は、中継装置２０を介さずに施設監視装置３０に接続されるようにしてもよい。
【００１４】
図２は、施設監視装置の構成を示すブロック図である。
施設監視装置３０は、図２に示すように、各施設のルーム端末１０と情報の送受信を行う通信制御部３１と、監視画面を生成する画面生成部３２と、各種情報を記憶する記憶部３３と、監視画面を表示する表示部３４と、ユーザからの操作入力を検出する操作部３５と、施設監視装置３０全体の動作を制御する制御部３６とを備える。
【００１５】
通信制御部３１は、各施設の各ルーム端末１０から管理情報または管理アドレスを取得して画面生成部３２および制御部３６に送出する。管理情報は、この管理情報に対応する管理アドレスを指定することによりルーム端末１０から取得する。
【００１６】
画面生成部３２は、ルーム端末１０が管理する管理ポイントおよびこの管理ポイントに対応する管理アドレスに基づいて、施設監視システムにより監視する施設全体の監視画面のレイアウトを生成する。
【００１７】
記憶部３３は、画面生成部３２により生成した監視画面のレイアウト、ルーム端末のアドレス、管理アドレス、管理情報のログ、管理情報に関連する関連情報等を記憶する。ここで、関連情報とは、各管理情報の名称、部屋の名称、操作履歴、操作者の履歴等の管理情報と紐付けられた属性に関する情報を意味する。
なお、記憶部３３は、管理ポイントと、管理アドレスと、管理情報と、関連情報とを互いに対応付けて格納するレコードを生成するようにしてもよい。これらのレコードは、マトリックスの形態を採るようにしてもよい。これにより、管理ポイント、管理アドレス、管理情報または関連情報の何れかの情報を指定すると、この指定された情報に対応する管理ポイント、管理アドレス、管理情報および関連情報を抽出することが可能となる。
【００１８】
表示部３４は、画面生成部３２により作成された監視画面のレイアウトに基づく監視画面を表示する。
操作部３５は、ユーザの操作入力を検出し、制御部３６にその情報を送出する。
制御部３６は、操作部３５から受信するユーザの操作入力に基づき、施設監視装置３０が備える他の構成要素の動作を制御することにより、監視画面作成動作を含む施設監視装置３０全体の動作を制御する。
【００１９】
このような施設監視装置３０は、ＣＰＵ等の演算装置、メモリ、HDD等の記憶装置、有線または無線を介してルーム端末１０と情報の送受を行うＩ/Ｆ装置、キーボード、マウス等の入力装置、CRT(Cathode Ray Tube)、LCD(Liquid Crystal Display)、FED(Field Emission Display)または有機EL(Electro Luminescence)等の表示装置などを備えたコンピュータと、このコンピュータにインストールされたプログラムとからそれぞれ構成されており、上記ハードウェア装置がプログラムによって制御されることによって、すなわちハードウェア資源とソフトウェアが協働することによって、上述した通信制御部３１、画面生成部３２、記憶部３３、表示部３４、操作部３５および制御部３６を実現する。
【００２０】
次に、図３〜図６を参照して、本実施の形態にかかる施設監視システムの動作について説明する。図３は、施設監視装置の動作を示すフローチャート、図４は、本実施の形態にかかる施設監視システムが適用されたビルの断面を示す模式図、図５は、図４のビルの３階の平面図である。
まず、施設監視装置３０は、ユーザの操作入力等により任意の施設の監視画面を表示する旨の指示を受信すると、その施設に設置されたルーム端末１０の管理ポイントの管理アドレスを取得する（ステップＳ３０１）。
【００２１】
図４および図５に示すように、本実施の形態にかかる施設監視システムが適用されたビルの各フロアは、廊下、トイレ、機械室等の共用部と、一般居室の専用部とに大別され、専用部の各部屋にルーム端末１０が設置されている。このルーム端末１０は、直接または他のルーム端末１０を介して、各フロアに設けられた中継装置２０に接続されている。中継装置２０は、隣接するフロアの中継装置２０に接続されている。
図４に示すように、１つの施設のみを施設監視装置３０が監視する場合、施設監視装置３０は、通信回線および中継装置２０を介して、全てのルーム端末１０に管理アドレスを施設監視装置３０に送信するよう指示を出すことにより、管理アドレスを取得する。
【００２２】
複数の施設を施設監視装置３０が監視する場合、施設監視装置３０は、ユーザにより監視画面を表示するよう要求された任意の施設の全てのルーム端末１０に管理アドレスを施設監視装置３０に送信するよう指示を出すことにより、管理アドレスを取得する。この場合、各施設毎に施設を統括する中継装置２０を設定しておき、その中継装置２０に全てのルーム端末１０に管理アドレスを施設監視装置３０に送信するよう指示を出すことにより、管理アドレスを取得するようにしてもよい。
また、施設監視装置３０は、予め管理アドレスを管理するデータベースを備えるようにしてもよい。この場合、施設監視装置３０は、内蔵しているデータベースからユーザにより監視画面を表示するよう要求された任意の施設の管理アドレスを取得する。
【００２３】
管理アドレスを取得すると、施設監視装置３０は、管理アドレスに基づいて監視画面のレイアウトを作成する（ステップＳ３０２）。
【００２４】
管理アドレスは、ルーム端末１０が設置されたビルの住所の郵便番号を示すエリアコード、ルーム端末１０が設置されたビルの識別番号を示すビルナンバー、ルーム端末１０が設置されたフロアを示すフロアナンバー、ルーム端末１０が設置された部屋の識別番号に対応するルームナンバー、ルーム端末１０が管理する管理ポイントの種別を示すポイントナンバー等など、管理ポイントの位置や種類等を階層的に特定する複数の情報から構成されている。例えば、エリアコードをＡＡＡ、ビルナンバーをＢＢ、フロアナンバーをＦＦ、ルームナンバーをＲＲＲ、ポイントナンバーをＰＰとすると、その管理アドレスは、ＡＡＡ．ＢＢ．ＦＦ．ＲＲＲ．ＰＰと表される。
【００２５】
ルームナンバーは、共用部を「０ＲＲ」、専用部を「１ＲＲ」というように、共用部と専用部とを区別して設定するようにしてもよい。
ポイントナンバーも、例えば、計測温度を「０１」、設定温度を「０２」というように、管理情報の種類毎に標準化するようにしてもよい。
したがって、例えば、図５に示すように、エリアコードが１４４で、ビルナンバーが０３のビルの３階のルーム番号０５番の社長室の設定温度の管理アドレスは、「１４４．０３．０３．１０５．０２」と設定される。
【００２６】
このような管理アドレスを取得すると、画面生成部３２は、管理アドレスを分析し、監視画面のレイアウトを決定する。
例えば、管理アドレスからビルのフロア数と、フロア毎の管理ポイントの数量とを検出し、フロア数を行、フロア毎の管理ポイントの数量の最大値を列とするマトリックス状に各管理ポイントの管理情報を表示する箇所を設けた監視画面を作成する。
【００２７】
ここで、画面生成部３２は、取得した管理アドレスから管理ポイントの共用部と専用部の数量比を検出し、マトリックス状の監視画面の列を共用部と専用部で大別するようにしてもよい。
また、画面生成部３２は、フロア毎の管理ポイントの数量や管理ポイントの共用部と専用部の数量比に基づいて、マトリックス状の監視画面の行と列の数量を適宜変更するようにしてもよい。例えば、所定のフロアの管理ポイントの数量が所定の数より多い場合は、そのフロアの行の数量を増やし、監視画面の列の数量を少なくするようにしてもよい。
【００２８】
上述したように、管理アドレスは、管理ポイントの位置や種類等を階層的に特定する複数の情報から構成されているので、例えばフロア毎など項目毎に区分された監視画面を容易に作成することができる。
また、管理アドレスの各情報は、例えば共用部と専用部や管理情報の種類などに区分して標準化されているので、施設を特徴付ける情報がさらに詳細に区分された監視画面を容易に作成することができる。
【００２９】
このように作成された監視画面のレイアウトは、記憶部３３に記憶される。なお、記憶部３３には、監視画面のレイアウトにおける管理情報の表示箇所毎に、その管理情報に対応する管理ポイントの管理アドレスが対応付けて記憶されている。
【００３０】
監視画面のレイアウトを作成すると、施設監視装置３０は、監視画面に表示する管理情報をルーム端末１０から取得する（ステップＳ３０３）。
上述したように、記憶部３３には、監視画面のレイアウトにおける管理情報の表示箇所毎に、その管理情報に対応する管理ポイントの管理アドレスが記憶されている。したがって、施設監視装置３０の制御部３６は、記憶部３３から監視画面のレイアウトにおける管理情報の表示箇所に対応付けられている管理アドレス抽出し、この管理アドレスを指定して管理情報の取得を要求することにより、ルーム端末１０から管理情報を取得する。
【００３１】
管理情報を取得すると、施設監視装置３０は、監視画面を表示する（ステップＳ３０４）。
表示部３４は、ステップＳ３０２で作成した監視画面のレイアウトに、このレイアウトの管理情報の各表示箇所にステップＳ３０３で取得した管理情報を対応する表示箇所に貼付した監視画面を表示する。このような監視画面の一例を図６に示す。
図６に示すように、監視画面は、例えば、現在温度、現在湿度、空調機の運転状況等の管理情報を、フロア毎に共用部と専用部に区別し、任意の順番でマトリックス状に並べた状態で表示される。
【００３２】
このように本実施の形態では、ルーム端末１０により管理される管理ポイントに基づいて監視画面を作成することにより、複雑な建築図面から平面図を作成することなく、施設全体の状況を把握できる監視画面を簡易に作成することが可能となる。
また、本実施の形態によれば、管理ポイントの位置および種類を階層的に特定するアドレスに基づいて監視画面を作成するので、レイアウトの変更、センサや空調機の追加等が生じても、容易に修正することが可能である。
【００３３】
なお、図６に示す監視画面において、ユーザがマウス等の入力装置により監視画面上の任意の管理情報を指定したことを操作部３５が検出すると、施設監視装置３０は、その管理情報に対応する関連情報を監視画面上に表示するようにしてもよい。この場合、上述したように監視画面における管理情報の表示箇所には、それぞれ管理アドレスが対応付けて記憶部３３に記憶されているので、施設監視装置３０は、管理情報が指定されると、その管理情報の表示箇所に対応付けられている管理アドレスを指定し、ルーム端末１０から関連情報を取得する。これにより、監視画面には、例えば図６の符号ａで示すように、管理アドレス、設定温度、部屋の名称、操作履歴等の関連情報が表示される。
このように本実施の形態によれば、監視画面上の管理情報を指定すると、その管理情報に対応する関連情報が表示されるので、ユーザにとって使い勝手のよい監視画面を作成することが可能となる。
【００３４】
また、監視画面に表示する関連情報は、上述したようにルーム端末１０から取得するのみならず、記憶部３３から取得するようにしてもよい。
【００３５】
また、本実施の形態において、施設監視システムを適用する施設は、上述したビルのみならず、各種施設に適用することが可能である。
さらに、本実施の形態において、監視画面に表示する管理情報の種類や並べ方等は、図６に示す状態に限定されず、適宜自由に変形変更することができる。
【図面の簡単な説明】
【００３６】
【図１】本実施の形態にかかる施設監視システムの構成図である。
【図２】施設監視装置の構成を示すブロック図である。
【図３】施設監視装置の動作を示すフローチャートである。
【図４】本実施の形態にかかる施設監視システムが適用されたビルの断面を示す模式図である。
【図５】図４に示すビルの３階の平面図である。
【図６】監視画面の一例である。
【図７】従来の施設監視装置の監視画面の一例を示す模式図である。
【符号の説明】
【００３７】
１０…ルーム端末、２０…中継装置、３０…施設監視装置、３１…通信制御装置、３２…画面生成部、３３…記憶部、３４…表示部、３５…操作部。
【図１】
2005339219.tif 000003
【図２】
2005339219.tif 000004
【図３】
2005339219.tif 000005
【図４】
2005339219.tif 000006
【図５】
2005339219.tif 000007
【図６】
2005339219.tif 000008
【図７】
2005339219.tif 000009